(57)【要約】【課題】電圧制御型のアッテネータをコンプレッサに適用する。【解決手段】  本発明のコンプレッサは、強度検出部、制御電圧出力部、アッテネータを備える。強度検出部は、出力信号の包絡線の強度を検出し、当該強度を示す強度信号を出力する。制御電圧出力部は、強度信号に対応した制御電圧を出力する。アッテネータは、制御電圧に対して指数的に抵抗値が変化する可変抵抗部を有し、入力信号を直列に接続された固定抵抗と可変抵抗部に印加し、固定抵抗と可変抵抗部で分圧された電圧の一方を出力信号とすることで入力信号を減衰させる。コンプレッサは、強度信号が所定の値よりも高い強度であることを示すときに、出力信号の入力信号に対する比を所定の小さい範囲にすることを特徴とする。【選択図】図１
2020102874.tif 000002
【特許請求の範囲】
【請求項１】
音響信号を入力信号とし、
出力信号の包絡線の強度を検出し、当該強度を示す強度信号を出力する強度検出部と、
前記強度信号に対応した制御電圧を出力する制御電圧出力部と、
前記制御電圧に対して指数的に抵抗値が変化する可変抵抗部を有し、入力信号を直列に接続された固定抵抗と可変抵抗部に印加し、前記固定抵抗と前記可変抵抗部で分圧された電圧の一方を出力信号とすることで入力信号を減衰させるアッテネータと、
を備え、
前記強度信号が低い強度を示すあらかじめ定めた範囲のときには、前記出力信号の前記入力信号に対する比をあらかじめ定めたほぼ一定の範囲内にし、
前記強度信号が所定の値よりも高い強度であることを示すときに、前記出力信号の前記入力信号に対する比を所定の小さい範囲にする
ことを特徴とするコンプレッサ。
【請求項２】
音響信号を入力信号とし、
出力信号の包絡線の強度を検出し、当該強度を示す強度信号を出力する強度検出部と、
前記強度信号に対応した制御電圧を出力する制御電圧出力部と、
前記制御電圧に対して指数的に抵抗値が減少する可変抵抗部を有し、入力信号を直列に接続された固定抵抗と可変抵抗部に印加し、前記可変抵抗部の電圧を出力信号とすることで入力信号を減衰させるアッテネータと、
を備え、
前記強度信号が低い強度を示すあらかじめ定めた範囲ときには、前記可変抵抗部の抵抗値を前記固定抵抗の抵抗値よりもあらかじめ定めた十分大きい範囲にし、
前記強度信号が所定の値よりも高い強度であることを示すときに、前記可変抵抗部の抵抗値をあらかじめ定めた前記固定抵抗の抵抗値と近い範囲にする
ことを特徴とするコンプレッサ。
【請求項３】
請求項２記載のコンプレッサであって、
前記強度信号は、強度を示す電圧であり、
前記制御電圧出力部は、オフセットを設定するためのオフセット設定部も有する
ことを特徴とするコンプレッサ。
【請求項４】
請求項３記載のコンプレッサであって、
前記制御電圧出力部は、さらに温度補償のための温度補償部も有する
ことを特徴とするコンプレッサ。
【発明の詳細な説明】
【技術分野】
【０００１】
本発明は、音響信号などのアナログ信号が大きいときに減衰させるコンプレッサと、そのコンプレッサに備えるアッテネータに関する。
【背景技術】
【０００２】
特許文献１には、音響信号などのアナログ信号を減衰させる電圧制御型のアッテネータと、そのアッテネータをエフェクタに用いることができることが示されている。
【先行技術文献】
【特許文献】
【０００３】
【特許文献１】特開２０１５−１５６６２７号公報
【発明の概要】
【発明が解決しようとする課題】
【０００４】
特許文献１の段落００１６には「第１可変電圧源１２１の電圧ＶＢ１と第２可変電圧源１２２の電圧ＶＢ２とを０．１Ｖから０．６Ｖまで変化させると、入力電圧ＶＩと出力電圧ＶＯとの比（減衰率）ＶＯ／ＶＩを、約１／２から１／１００まで変化させることができる。これは、等価回路９０の可変抵抗９１０に当てはめてみると、抵抗値を１００ｋΩから１ｋΩまで変化させたことと等価である。」と示されており、電圧を６倍に変化させたときに抵抗値が１／１００に変化している。このことから、特許文献１のアッテネータは、電圧の変化に対して指数的に抵抗値が変化する特性を持っていることが分かる。しかしながら、特許文献１にはアッテネータをコンプレッサに適用した例は示されていない。
【０００５】
本発明は、電圧制御型のアッテネータをコンプレッサに適用することを目的とする。
【課題を解決するための手段】
【０００６】
本発明のコンプレッサは、強度検出部、制御電圧出力部、アッテネータを備える。強度検出部は、出力信号の包絡線の強度を検出し、当該強度を示す強度信号を出力する。制御電圧出力部は、強度信号に対応した制御電圧を出力する。アッテネータは、制御電圧に対して指数的に抵抗値が変化する可変抵抗部を有し、入力信号を直列に接続された固定抵抗と可変抵抗部に印加し、固定抵抗と可変抵抗部で分圧された電圧の一方を出力信号とすることで入力信号を減衰させる。コンプレッサは、強度信号が所定の値よりも高い強度であることを示すときに、出力信号の入力信号に対する比を所定の小さい範囲にすることを特徴とする。
【発明の効果】
【０００７】
本発明のコンプレッサによれば、指数的に抵抗値が変化する可変抵抗部を有するアッテネータを用いることで、変化が減衰率にほとんど影響しない可変抵抗部の抵抗値と、変化が減衰率に大きく影響する可変抵抗部の抵抗値を利用できるので、電圧制御型のアッテネータをコンプレッサに適用できる。
【図面の簡単な説明】
【０００８】
【図１】本発明のコンプレッサの構成を示す図。
【図２】理想的なコンプレッサの特性を示す図。
【図３】アッテネータの構成を示す図。
【図４】強度検出部の構成例を示す図。
【図５】制御電圧出力部の構成例を示す図。
【図６】制御電圧出力部をアナログ回路で構成した例である図。
【図７】１つ目のアッテネータの構成例を示す図。
【図８】２つめのアッテネータの構成例を示す図。
【図９】３つ目のアッテネータの構成例を示す図。
【図１０】４つ目のアッテネータの構成例を示す図。
【図１１】５つ目のアッテネータの構成例を示す図。
【図１２】６つ目のアッテネータの構成例を示す図。
【図１３】７つ目のアッテネータの構成例を示す図。
【図１４】８つ目のアッテネータの構成例を示す図。
【発明を実施するための形態】
【０００９】
以下、本発明の実施の形態について、詳細に説明する。なお、同じ機能を有する構成部には同じ番号を付し、重複説明を省略する。
【実施例１】
【００１０】
図１に本発明のコンプレッサの構成、図２に理想的なコンプレッサの特性、図３にアッテネータ１０の構成を示す。理想的なコンプレッサでは、閾値Ｔを超える入力信号の場合には出力信号を圧縮する。入力信号の強度と出力信号の強度の関係を図示すると図２のようになる。本発明のコンプレッサ１は、強度検出部９０、制御電圧出力部９５、アッテネータ１０を備える。強度検出部９０は、出力信号の包絡線の強度を検出し、当該強度を示す強度信号を出力する。制御電圧出力部９５は、強度信号に対応した制御電圧ＶＢを出力する。
【００１１】
アッテネータ１０は、制御電圧ＶＢに対して指数的に抵抗値が変化する可変抵抗部１１０を有し、入力信号を直列に接続された固定抵抗１９０と可変抵抗部１１０に印加し、固定抵抗１９０と可変抵抗部１１０で分圧された電圧の一方を出力信号とすることで入力信号を減衰させる。例えば、図３に示すようにアッテネータ１０の出力信号を可変抵抗部１１０の電圧とすればよい。ここで「指数的」とは、制御電圧ＶＢと抵抗値との関係が、正確な指数関数で近似できる関係に限定するものではなく、制御電圧ＶＢの２倍から１０倍程度の変化に対して抵抗値の変化が数倍の変化から数十倍、数百倍の変化（または数分の一から数十分の一、数百分の一の変化）のように非線形に大きくなっていく関係を意味している。例えば、制御電圧ＶＢが１Ｖ変化したときの抵抗値の変化が１／２、制御電圧ＶＢが２Ｖ変化したときの抵抗値の変化が１／１０、制御電圧ＶＢが４Ｖ変化したときの抵抗値の変化が１／１００、制御電圧ＶＢが８Ｖ変化したときの抵抗値の変化が１／５００のような関係を含む意味である。
【００１２】
コンプレッサ１は、強度信号が所定の値よりも高い強度であることを示すときに、出力信号の入力信号に対する比を所定の小さい範囲にすることを特徴とする。ここで、「アッテネータ１０が、制御電圧ＶＢに対して指数的に抵抗値が変化する可変抵抗部１１０を有し、入力信号を直列に接続された固定抵抗１９０と可変抵抗部１１０に印加し、固定抵抗１９０と可変抵抗部１１０で分圧された電圧の一方を出力信号とすることで入力信号を減衰させる。」と、「コンプレッサ１は、強度信号が所定の値よりも高い強度であることを示すときに、出力信号の入力信号に対する比が所定の小さい範囲となる」の関係について説明する。図３の構成の場合であれば、可変抵抗部１１０の抵抗値ＲＡの固定抵抗１９０と可変抵抗部１１０の合計の抵抗値（Ｒ０＋ＲＡ）に対する比ＲＡ／（Ｒ０＋ＲＡ）が、減衰率（入力信号ＶＩと出力信号ＶＯとの比ＶＯ／ＶＩ）である。ＲＡがＲ０よりも十分に大きいとき、
ＲＡ／（Ｒ０＋ＲＡ）≒１
であり、ＲＡが多少変化しても約１のままである。例えば、ＲＡ＝１０００Ｒ０がＲＡ＝１００Ｒ０のように１／１０に変化しても、減衰率は０．９９９から０．９９に変化するだけである。一方、ＲＡとＲ０の値が近いときにはＲＡの変化が減衰率に大きく影響する。例えば、ＲＡ＝２Ｒ０からＲＡ＝Ｒ０に１／２変化すると、減衰率は０．６７から０．５０に変化する。
【００１３】
つまり、強度信号が低い強度を示すあらかじめ定めた範囲ときには、可変抵抗部１１０の抵抗値を固定抵抗１９０の抵抗値よりもあらかじめ定めた十分大きい範囲とし、強度信号が所定の値よりも高い強度であることを示すときには、可変抵抗部１１０の抵抗値を固定抵抗１９０の抵抗値に近い値（あらかじめ定めた近い範囲）にするようにすれば、強度が高いときだけ入力信号に対して出力信号を減衰させることができる。また、コンプレッサ１は図１に示したように出力信号の包絡線の強度に基づいて減衰の程度を決めるフィードバックする方式なので、減衰させすぎると減衰させなくなる方向に調整され、結局、入力信号の強度が高い方が出力信号の強度も高くなる。よって、入力信号の強度が高いほど出力信号の強度が高い関係（単調増加の関係）は維持しながら、出力信号の強度が高いほどより減衰されるので、図２に近い特性を得ることができる。「所定の値」の強度とは、あらかじめ定めた図２の閾値Ｔよりも高い強度であり、「比が所定の小さい範囲」とは、所定の値の強度に対するあらかじめ定めた減衰率の範囲であり、コンプレッサ１の設計時に適宜定めればよい。また、「所定の値」は１つに限定する必要はなく、複数の「所定の値」と「比が所定の小さい範囲」の組を定めてもよい。
【００１４】
なお、ＲＡがＲ０よりも十分に小さいときとＲＡとＲ０の値が近いときを利用するのであれば、固定抵抗１９０の分圧を出力信号にすればよい。ＲＡがＲ０よりも十分に小さいときの減衰率は、
Ｒ０／（Ｒ０＋ＲＡ）≒１
となり、ＲＡが多少変化しても約１のままだからである。
【００１５】
図４に強度検出部９０の構成例を示す。強度検出部９０は、例えば、交流信号である出力信号を全波整流する全波整流部９１と、全波整流された信号から包絡線の強度を求める包絡線検出部９２を備えればよい。なお、全波整流部９１と包絡線検出部９２の具体的構成は従来技術を用いればよい。また、図４はアナログの回路で実現することを前提とした構成だが、強度検出部９０は、出力信号をデジタル信号に変換した上で、デジタル信号の処理によって強度信号を出力してもよい。
【００１６】
図５に制御電圧出力部９５の構成例を示す。制御電圧出力部９５は、強度信号を入力として圧縮度調整信号を出力する圧縮度調整部９６、オフセット信号を出力するオフセット設定部９７、温度補償信号を出力する温度補償部９８、圧縮度調整信号とオフセット信号と温度補償信号を入力として制御電圧ＶＢを出力とする制御電圧生成部９９を備える。制御電圧ＶＢの範囲は、変化が減衰率にほとんど影響しない可変抵抗部１１０の抵抗値から、変化が減衰率に大きく影響する可変抵抗部１１０の抵抗値までを利用できるように定めればよい。このときに、オフセット設定部９７は、図２の閾値Ｔを決める役割を果たし、圧縮度調整部９６は閾値Ｔよりも入力信号の強度が高いときの傾きを決める役割を果たす。なお、温度が安定な環境で使用するのであれば、温度補償部９８はなくても構わない。また、制御電圧出力部９５はアナログ回路で実現してもよいし、全体的にはデジタル回路で実現し、最後にＤ／Ａ変換して制御電圧を出力してもよい。強度信号、圧縮度調整信号、オフセット信号、温度補償信号は、デジタルの信号でもよいし、アナログの信号でもよい。
【００１７】
図６は、制御電圧出力部９５をアナログ回路で構成した例である。この例では、強度信号、圧縮度調整信号、オフセット信号、温度補償信号は、電圧（アナログ）である。この例の場合、強度検出部９０もアナログの回路とすれば組み合わせやすい。図６の例では、制御電圧生成部９９はオペアンプ９９１と抵抗９９２で構成された加算回路であり、圧縮度調整信号、オフセット信号、温度補償信号（電圧）を重み付き加算した結果に対応した電圧を出力する。圧縮度調整部９６は抵抗９６１である。オフセット設定部９７は直流電源９７１と抵抗９７２で構成される。温度補償部９８は直流電源９８１、抵抗９８２，９８４、ダイオード９８３で構成され、ダイオード９８３の温度特性を利用して温度補償信号を生成する。圧縮度調整信号、オフセット信号、温度補償信号（電圧）の重みと、増幅率は、抵抗９９２，９６１，９７２，９８４で決まる。増幅率の調整によって、アッテネータ１０の可変抵抗部１１０に入力する制御電圧ＶＢの範囲を決めることができる。よって、増幅率は、変化が減衰率にほとんど影響しない可変抵抗部１１０の抵抗値と、変化が減衰率に大きく影響する可変抵抗部１１０の抵抗値を利用できるように定めればよい。
【００１８】
本発明のコンプレッサによれば、指数的に抵抗値が変化する可変抵抗部を有するアッテネータを用いることで、変化が減衰率にほとんど影響しない可変抵抗部の抵抗値と、変化が減衰率に大きく影響する可変抵抗部の抵抗値を利用できるので、電圧制御型のアッテネータをコンプレッサに適用できる。
【００１９】
＜アテネータの可変抵抗部＞
アッテネータ１０の具体例としては、特許文献１に示されたアッテネータがある。その他に、以下に示す８つのアッテネータもアッテネータ１０として利用できる。
【００２０】
＜１つ目のアッテネータ＞
図７に１つ目のアッテネータの構成例を示す。アッテネータ１０は、一端が入力端子１９１に接続され、他端が出力端子１９２に接続された固定抵抗１９０と、出力端子１９２に接続された可変抵抗部１１０を備える。可変抵抗部１１０は、ＮＰＮ型の第１トランジスタ１３１、ＮＰＮ型の第２トランジスタ１３２、第１抵抗１１１、第２抵抗１１２、第３抵抗１１３、第４抵抗１１４、第１可変電圧源１０１、第２可変電圧源１０２、帰還点１８２、出力点１８１を有する。なお、帰還点１８２と出力点１８１は、素子同士の接続関係を説明するために採用した表現上の点であり、実際のアッテネータにおいて明確な点が存在する必要はなく、配線内のいずれかの点を帰還点１８２もしくは出力点１８１と考えればよい。出力点１８１は出力端子１９２に接続される。帰還点１８２と出力点１８１とが接続される。第１可変電圧源１０１の負極と第２可変電圧源１０２の正極が接地される。
【００２１】
第１トランジスタ１３１のコレクタが第１可変電圧源１０１の正極に接続される。第２トランジスタ１３２のエミッタが第２可変電圧源１０２の負極に接続される。第１トランジスタ１３１のエミッタと第２トランジスタ１３２のコレクタとが出力点１８１に接続される。第１トランジスタ１３１のベースとコレクタの間に、第１抵抗１１１が接続される。第１トランジスタ１３１のベースと帰還点１８２の間に、第２抵抗１１２が接続される。第２トランジスタ１３２のベースと帰還点１８２の間に、第３抵抗１１３が接続される。第２トランジスタ１３２のベースとエミッタの間に、第４抵抗１１４が接続される。
【００２２】
第１可変電圧源１０１と第２可変電圧源１０２は同じ電圧である。コンプレッサ１の場合には、どちらも制御電圧ＶＢが印加される。第１抵抗１１１、第２抵抗１１２、第３抵抗１１３、第４抵抗１１４は、入力端子１９１に入力される電圧が０Ｖの場合には、出力点の電圧が０Ｖになるように定められている。
【００２３】
例えば、第１抵抗１１１の抵抗値Ｒ１と第３抵抗１１３の抵抗値Ｒ３とを２２０ｋΩ、第２抵抗１１２の抵抗値Ｒ２と第４抵抗１１４の抵抗値Ｒ４とを１０ｋΩ、固定抵抗１９０の抵抗値Ｒ０を４７ｋΩとする。そして、第１可変電圧源１０１と第２可変電圧源１０２とを３Ｖから１２Ｖまで変化させると、可変抵抗部１１０の抵抗値を１ＭΩ以上から１ｋΩ以下まで抵抗値を指数的に変化させることができる。固定抵抗１９０が４７ｋΩなので、可変抵抗部１１０の抵抗値が５００ｋΩ以上では減衰率は０．９以上であり、５０ｋΩで０．５程度にできる。したがって、上述のように図２に近似した特性のコンプレッサを実現できる。
【００２４】
＜２つ目のアッテネータ＞
図８に２つめのアッテネータの構成例を示す。アッテネータ２０の可変抵抗部２１０は、アッテネータ１０の可変抵抗部１１０に、増幅率が１のバッファ１４０を付加した構成である。バッファ１４０は、帰還点１８２と出力点１８１との間に、出力点１８１側が入力、帰還点１８２側が出力となるように挿入されている。その他の構成は、アッテネータ１０と同じである。
【００２５】
バッファ１４０によって、出力点１８１と帰還点１８２との電位を同じに保ちながら、出力点１８１から帰還点１８２側を見たインピーダンスを大きくし、帰還点１８２側には電流を供給できるようになる。したがって、アッテネータ２０は、減衰率をアッテネータ１０よりも幅広く変更できるようになり、かつ、アッテネータ１０と同様の効果が得られる。
【００２６】
＜３つ目のアッテネータ＞
図９は、３つ目のアッテネータの構成例を示す図である。アッテネータ３０は、固定抵抗１９０と可変抵抗部３１０を備える。可変抵抗部３１０は、ＰＮＰ型の第１トランジスタ３３１、ＰＮＰ型の第２トランジスタ３３２、第１抵抗１１１、第２抵抗１１２、第３抵抗１１３、第４抵抗１１４、第１可変電圧源１０１、第２可変電圧源１０２、帰還点１８２、出力点１８１を有する。出力点１８１は出力端子１９２に接続される。帰還点１８２と出力点１８１とが接続される。第１可変電圧源１０１の負極と第２可変電圧源１０２の正極が接地される。
【００２７】
第１トランジスタ３３１のエミッタが第１可変電圧源１０１の正極に接続される。第２トランジスタ３３２のコレクタが第２可変電圧源１０２の負極に接続される。第１トランジスタ３３１のコレクタと第２トランジスタ３３２のエミッタとが出力点１８１に接続される。第１トランジスタ３３１のベースと帰還点１８２の間に、第１抵抗１１１が接続される。第１トランジスタ３３１のベースとエミッタの間に、第２抵抗１１２が接続される。第２トランジスタ３３２のベースとコレクタの間に、第３抵抗が接続される。第２トランジスタ３３２のベースと帰還点１８２の間に、第４抵抗１１４が接続される。
【００２８】
第１可変電圧源１０１と第２可変電圧源１０２は同じ電圧である。コンプレッサ１の場合には、どちらも制御電圧ＶＢが印加される。第１抵抗１１１、第２抵抗１１２、第３抵抗１１３、第４抵抗１１４は、入力端子１９１に入力される電圧が０Ｖの場合には、出力点の電圧が０Ｖになるように定められている。アッテネータ３０はこのような構成なので、アッテネータ１０と同様の効果が得られる。
【００２９】
＜４つ目のアッテネータ＞
図１０に４つ目のアッテネータの構成例を示す。アッテネータ４０の可変抵抗部４１０は、アッテネータ３０の可変抵抗部３１０に、増幅率が１のバッファ１４０を付加した構成である。バッファ１４０は、帰還点１８２と出力点１８１との間に、出力点１８１側が入力、帰還点１８２側が出力となるように挿入されている。その他の構成は、アッテネータ３０と同じである。
【００３０】
バッファ１４０によって、出力点１８１と帰還点１８２との電位を同じに保ちながら、出力点１８１から帰還点１８２側を見たインピーダンスを大きくし、帰還点１８２側には電流を供給できるようになる。したがって、アッテネータ４０は、アッテネータ２０と同様に、減衰率をアッテネータ３０よりも幅広く変更できるようになり、かつ、アッテネータ３０と同様の効果が得られる。
【００３１】
＜５つ目のアッテネータ＞
図１１は、５つ目のアッテネータの構成例を示す図である。アッテネータ５０は、固定抵抗１９０と可変抵抗部５１０を備える。可変抵抗部５１０は、ＰＮＰ型の第１トランジスタ３３１、ＮＰＮ型の第２トランジスタ１３２、第１抵抗１１１、第２抵抗１１２、第３抵抗１１３、第４抵抗１１４、第１可変電圧源１０１、第２可変電圧源１０２、帰還点１８２、出力点１８１を有する。出力点１８１は出力端子１９２に接続される。帰還点１８２と出力点１８１とが接続される。第１可変電圧源１０１の負極と第２可変電圧源１０２の正極が接地される。
【００３２】
第１トランジスタ３３１のエミッタが第１可変電圧源１０１の正極に接続される。第２トランジスタ１３２のエミッタが第２可変電圧源１０２の負極に接続される。第１トランジスタ３３１のコレクタと第２トランジスタ１３２のコレクタとが出力点１８１に接続される。第１トランジスタ３３１のベースと帰還点１８２の間に、第１抵抗１１１が接続される。第１トランジスタ３３１のベースとエミッタの間に、第２抵抗１１２が接続される。第２トランジスタ１３２のベースと帰還点１８２の間に、第３抵抗１１３が接続される。第２トランジスタ１３２のベースとエミッタの間に、第４抵抗１１４が接続される。
【００３３】
第１可変電圧源１０１と第２可変電圧源１０２は同じ電圧である。コンプレッサ１の場合には、どちらも制御電圧ＶＢが印加される。第１抵抗１１１、第２抵抗１１２、第３抵抗１１３、第４抵抗１１４は、入力端子１９１に入力される電圧が０Ｖの場合には、出力点の電圧が０Ｖになるように定められている。アッテネータ５０はこのような構成なので、アッテネータ１０と同様の効果が得られる。
【００３４】
＜６つ目のアッテネータ＞
図１２に６つ目のアッテネータの構成例を示す。アッテネータ６０の可変抵抗部６１０は、アッテネータ５０の可変抵抗部５１０に、増幅率が１のバッファ１４０を付加した構成である。バッファ１４０は、帰還点１８２と出力点１８１との間に、出力点１８１側が入力、帰還点１８２側が出力となるように挿入されている。その他の構成は、アッテネータ５０と同じである。
【００３５】
バッファ１４０によって、出力点１８１と帰還点１８２との電位を同じに保ちながら、出力点１８１から帰還点１８２側を見たインピーダンスを大きくし、帰還点１８２側には電流を供給できるようになる。したがって、アッテネータ６０は、アッテネータ２０と同様に、減衰率をアッテネータ５０よりも幅広く変更できるようになり、かつ、アッテネータ５０と同様の効果が得られる。
【００３６】
＜７つ目のアッテネータ＞
図１３は、７つ目のアッテネータの構成例を示す図である。アッテネータ７０は、固定抵抗１９０と可変抵抗部７１０を備える。可変抵抗部７１０は、ＮＰＮ型の第１トランジスタ１３１、ＰＮＰ型の第２トランジスタ３３２、第１抵抗１１１、第２抵抗１１２、第３抵抗１１３、第４抵抗１１４、第１可変電圧源１０１、第２可変電圧源１０２、帰還点１８２、出力点１８１を有する。出力点１８１は出力端子１９２に接続される。帰還点１８２と出力点１８１とが接続される。第１可変電圧源１０１の負極と第２可変電圧源１０２の正極が接地される。
【００３７】
第１トランジスタ１３１のコレクタが第１可変電圧源１０１の正極に接続される。第２トランジスタ３３２のコレクタが第２可変電圧源１０２の負極に接続される。第１トランジスタ１３１のエミッタと第２トランジスタ３３２のエミッタとが出力点１８１に接続される。第１トランジスタ１３１のベースとコレクタの間に、第１抵抗１１１が接続される。第１トランジスタ１３１のベースと帰還点１８２の間に、第２抵抗１１２が接続される。第２トランジスタ３３２のベースとコレクタの間に、第３抵抗が接続される。第２トランジスタ３３２のベースと帰還点１８２の間に、第４抵抗１１４が接続される。
【００３８】
第１可変電圧源１０１と第２可変電圧源１０２は同じ電圧である。コンプレッサ１の場合には、どちらも制御電圧ＶＢが印加される。第１抵抗１１１、第２抵抗１１２、第３抵抗１１３、第４抵抗１１４は、入力端子１９１に入力される電圧が０Ｖの場合には、出力点の電圧が０Ｖになるように定められている。アッテネータ７０はこのような構成なので、アッテネータ１０と同様の効果が得られる。
【００３９】
＜８つ目のアッテネータ＞
図１４に８つ目のアッテネータの構成例を示す。アッテネータ８０の可変抵抗部８１０は、アッテネータ７０の可変抵抗部７１０に、増幅率が１のバッファ１４０を付加した構成である。バッファ１４０は、帰還点１８２と出力点１８１との間に、出力点１８１側が入力、帰還点１８２側が出力となるように挿入されている。その他の構成は、アッテネータ７０と同じである。
【００４０】
バッファ１４０によって、出力点１８１と帰還点１８２との電位を同じに保ちながら、出力点１８１から帰還点１８２側を見たインピーダンスを大きくし、帰還点１８２側には電流を供給できるようになる。したがって、アッテネータ８０は、アッテネータ２０と同様に、減衰率をアッテネータ７０よりも幅広く変更できるようになり、かつ、アッテネータ７０と同様の効果が得られる。
【符号の説明】
【００４１】
１  コンプレッサ
１０，２０，３０，４０，５０，６０，７０，８０  アッテネータ
９０  強度検出部                    ９１  全波整流部
９２  包絡線検出部                  ９５  制御電圧出力部
９６  圧縮度調整部                  ９７  オフセット設定部
９８  温度補償部                    ９９  制御電圧生成部
１０１  第１可変電圧源              １０２  第２可変電圧源
１１０，２１０，３１０，４１０，５１０，６１０，７１０，８１０  可変抵抗部
１１１，１１２，１１３，１１４，９６１，９７２，９８２，９８４，９９２  抵抗
１３１，１３２，３３１，３３２  トランジスタ
１４０  バッファ                    １８１  出力点
１８２  帰還点                      １９０  固定抵抗
１９１  入力端子                    １９２  出力端子
９７１，９８１  直流電源            ９８３  ダイオード
９９１  オペアンプ
【図１】
2020102874.tif 000003
【図２】
2020102874.tif 000004
【図３】
2020102874.tif 000005
【図４】
2020102874.tif 000006
【図５】
2020102874.tif 000007
【図６】
2020102874.tif 000008
【図７】
2020102874.tif 000009
【図８】
2020102874.tif 000010
【図９】
2020102874.tif 000011
【図１０】
2020102874.tif 000012
【図１１】
2020102874.tif 000013
【図１２】
2020102874.tif 000014
【図１３】
2020102874.tif 000015
【図１４】
2020102874.tif 000016